(57)【要約】【課題】撮像装置が撮影を行うことにより得たデータを外部装置に出力する際に、外部装置側において撮像装置の撮影状況に応じた適切な出力データを取得できるようにする。【解決手段】撮像装置のシステム制御部５０は、ライブビュー撮影の際に撮像部２２で得られたライブビュー画像と集音部６６で得られた音とを、通信部５４を介して外部装置に出力している場合に、操作に応じて発音部６５から出力される通知音が出力されないように発音部６５を制御する。【選択図】図５
2019016914.tif 000002
【特許請求の範囲】
【請求項１】
撮像手段と、
音を入力する音入力手段と、
操作に応じて通知音を発音する発音手段と、
外部装置と接続するための接続手段と、
前記音入力手段から入力された音とともに前記撮像手段で撮像されたライブビュー画像を前記接続手段を介して前記外部装置に出力する出力手段と、
前記出力手段によって前記音とともに前記ライブビュー画像を出力している場合に、前記発音手段による前記通知音の発音をしないように制御する制御手段と、
を有することを特徴とする撮像装置。
【請求項２】
前記制御手段は、前記接続手段を介して前記外部装置と接続しているか否かに応じて前記制御を行うことを特徴とする請求項１に記載の撮像装置。
【請求項３】
前記接続手段を介して前記外部装置が接続されているか否かを検知する接続検知手段を更に有し、
前記制御手段は、前記接続検知手段によって前記外部装置が接続されていることが検知された場合に前記制御を行うことを特徴とする請求項１または２に記載の撮像装置。
【請求項４】
前記ライブビュー画像に当該撮像装置に関する情報を重畳表示するか否かを設定する第１の設定手段を更に有し、
前記制御手段は、前記ライブビュー画像に前記撮像装置に関する情報を重畳表示しない設定となっている場合に前記制御を行い、前記ライブビュー画像に前記撮像装置に関する情報を重畳表示する設定となっている場合には、前記出力手段によって前記音とともに前記ライブビュー画像を出力している場合にも、前記発音手段による前記通知音の発音を制限しないことを特徴とする請求項１乃至３のいずれか１項に記載の撮像装置。
【請求項５】
前記撮像手段で撮像された動画を当該撮像装置に装着された記録媒体または当該撮像装置に内蔵された記録媒体に記録する記録手段を更に有し、
前記制御手段は、前記記録手段による記録を行っている状態であるか否かにかかわらず、前記制御を行うことを特徴とする請求項１乃至４のいずれか１項に記載の撮像装置。
【請求項６】
前記制御手段は、前記外部装置が録画状態であるか否かに関わらず、前記制御を行うことを特徴とする請求項１乃至５のいずれか１項に記載の撮像装置。
【請求項７】
前記出力手段は、前記接続手段を介して再生画像を前記外部装置に出力可能であり、
前記制御手段は、前記出力手段によって再生画像を出力している場合には前記制御を行うことなく、前記発音手段による前記通知音の発音を制限しないことを特徴とする請求項１乃至６のいずれか１項に記載の撮像装置。
【請求項８】
前記通知音の出力の可否を設定する第２の設定手段を更に有し、
前記制御手段は、前記第２の設定手段の設定に基づいて前記制御を行うことを特徴とする請求項１乃至７のいずれか１項に記載の撮像装置。
【請求項９】
前記第２の設定手段で設定可能な設定には、前記出力手段によって前記ライブビュー画像とともに前記音を出力しているか否かに関わらず前記通知音を出力する第１の設定と、前記ライブビュー画像とともに前記音を出力している場合に前記通知音を出力しない第２の設定と、前記ライブビュー画像とともに前記音を出力しているか否かにかかわらず前記通知音を出力しない第３の設定とが含まれることを特徴とする請求項８に記載の撮像装置。
【請求項１０】
前記接続手段は、ＨＤＭＩ接続端子であることを特徴とする請求項１乃至９のいずれか１項に記載の撮像装置。
【請求項１１】
前記接続手段は、外部装置と無線接続をすることを特徴とする請求項１乃至９のいずれか１項に記載の撮像装置。
【請求項１２】
前記接続手段は、ＳＤＩ接続端子であることを特徴とする請求項１乃至９のいずれか１項に記載の撮像装置。
【請求項１３】
撮像手段を有する撮像装置であって、
音を入力する音入力ステップと、
操作に応じて通知音を発音するように制御する発音ステップと、
外部装置と接続するための接続ステップと、
前記音入力ステップで入力された音とともに前記撮像手段で撮像されたライブビュー画像を前記外部装置に出力する出力ステップと、
前記出力ステップによって前記音とともに前記ライブビュー画像を出力している場合に、前記発音ステップによる前記通知音の発音をしないように制御する制御ステップと、
を有することを特徴とする撮像装置の制御方法。
【請求項１４】
コンピュータを、請求項１乃至１２のいずれか１項に記載の撮像装置の各手段として機能させるためのプログラム。
【請求項１５】
コンピュータを、請求項１乃至１２のいずれか１項に記載の撮像装置の各手段として機能させるためのプログラムを記憶したコンピュータ読み取り可能な記憶媒体。
【発明の詳細な説明】
【技術分野】
【０００１】
本発明は、被写体の撮像を行う撮像装置及びその制御方法、当該撮像装置の各手段としてコンピュータを機能させるためのプログラム、並びに、当該プログラムを記憶したコンピュータ読み取り可能な記憶媒体に関するものである。
【背景技術】
【０００２】
撮像装置による画像の撮影・収録では、撮像装置の記録メディアに記録する場合と、外部装置である外部レコーダの記録メディアに記録する場合がある。
【０００３】
ここで、近年、外部レコーダの記録メディアに記録する方法としては、撮像装置の画像等をＨＤＭI（登録商標）（Ｈｉｇｈ−Ｄｅｆｉｎｉｔｉｏｎ  Ｍｕｌｔｉｍｅｄｉａ  Ｉｎｔｅｒｆａｃｅ）出力等により外部モニタに出力し、その出力データを外部レコーダを用いて録画する技術が提案されている（例えば、特許文献１参照）。また、近年、撮像装置のマイクで集音した音データをテレビ等の外部スピーカーに出力する技術も提案されている（例えば、特許文献２参照）。
【先行技術文献】
【特許文献】
【０００４】
【特許文献１】特開２０１４−２２９９３０号公報
【特許文献２】特開２００９−４４５６７号公報
【発明の概要】
【発明が解決しようとする課題】
【０００５】
しかしながら、上述した従来の技術では、撮像装置がライブビュー撮影を行うことにより得たライブビュー画像及びその音データを出力データとして外部装置に出力することを考えた場合に、当該撮像装置に対する操作に応じて出力された通知音が混入してしまうという問題が生じる。これにより、外部装置側において撮像装置の撮影状況に応じた適切な出力データを取得することが困難となる。
【０００６】
本発明は、このような問題点に鑑みてなされたものであり、撮像装置で得たデータを外部装置に出力する際に、外部装置側において適切な出力データを取得することが可能な仕組みを提供することを目的とする。
【課題を解決するための手段】
【０００７】
本発明の撮像装置は、撮像手段と、音を入力する音入力手段と、操作に応じて通知音を発音する発音手段と、外部装置と接続するための接続手段と、前記音入力手段から入力された音とともに前記撮像手段で撮像されたライブビュー画像を前記接続手段を介して前記外部装置に出力する出力手段と、前記出力手段によって前記音とともに前記ライブビュー画像を出力している場合に、前記発音手段による前記通知音の発音をしないように制御する制御手段と、を有することを特徴とする。
【発明の効果】
【０００８】
本発明によれば、撮像装置で得たデータを外部装置に出力する際に、外部装置側において適切な出力データを取得することができる。
【図面の簡単な説明】
【０００９】
【図１】本発明の実施形態に係るデジタルカメラ（撮像装置）の外観の一例を示す図である。
【図２】本発明の実施形態に係るデジタルカメラ（撮像装置）の概略構成の一例を示す図である。
【図３】本発明の実施形態に係るデジタルカメラ（撮像装置）と外部装置との通信接続形態の一例を示す図である。
【図４】本発明の実施形態に係るデジタルカメラ（撮像装置）のライブビュー撮影時の制御方法における処理手順の一例を示すフローチャートである。
【図５】図４及び図６のＳ４０９における音出力判定処理の詳細な処理手順の一例を示すフローチャートである。
【図６】本発明の実施形態に係るデジタルカメラ（撮像装置）の画像再生時の制御方法における処理手順の一例を示すフローチャートである。
【図７】本発明の実施形態を示し、図２の発音部における通知音の出力設定を行うための設定画面の一例を示す図である。
【発明を実施するための形態】
【００１０】
以下に、図面を参照しながら、本発明を実施するための形態（実施形態）について説明する。
【００１１】
図１は、本発明の実施形態に係るデジタルカメラ（撮像装置）１００の外観の一例を示す図である。具体的に、図１（ａ）は、デジタルカメラ１００の前面の一例を示す斜視図であり、図１（ｂ）は、デジタルカメラ１００の背面の一例を示す斜視図である。
【００１２】
図１（ｂ）に示す表示部２８は、各種の画像や各種の情報を表示する、デジタルカメラ１００の背面に設けられた表示部である。図１（ａ）に示すファインダー外液晶表示部４３は、デジタルカメラ１００の上面に設けられた表示部であり、シャッター速度や絞りをはじめとするデジタルカメラ１００の様々な設定値が表示される。
【００１３】
図１（ｂ）に示す電源スイッチ６０は、デジタルカメラ１００の電源のオン／オフを切り替える操作部材である。図１（ａ）に示すシャッターボタン６１は、撮影指示を行うための操作部材である。図１（ａ）及び図１（ｂ）に示すモード切替スイッチ６４は、各種のモードを切り替えるための操作部材である。図１（ａ）に示す端子カバー４０は、外部装置と接続する接続ケーブル等のコネクタ（例えば、図２に示す外部Ｉ／Ｆ５７）を保護するカバーである。図１（ａ）に示すグリップ部９０は、ユーザーがデジタルカメラ１００を構えた際に右手で握りやすい形状とされた保持部である。
【００１４】
図１（ａ）に示すメイン電子ダイヤル７１は、回転操作部材であり、このメイン電子ダイヤル７１を回すことにより、シャッター速度や絞り等の設定値の変更等が行える。図１（ｂ）に示すサブ電子ダイヤル７２は、選択枠の移動や画像送り等を行える回転操作部材である。図１（ｂ）に示す十字キー７３は、上、下、左、右の部分をそれぞれ押し込み可能な十字キー（４方向キー）であり、この十字キー７３の押した部分に応じた操作が可能である。図１（ｂ）に示すＳＥＴボタン７４は、押しボタンであり、主に選択項目の決定等に用いられる。図１（ｂ）に示すＬＶ（ライブビュー）ボタン７５は、メニューボタンにおいてライブビューのオンとオフを切り替えるための操作部材である。なお、ＬＶボタン７５は、動画撮影モードにおいては、動画撮影（記録）の開始、停止の指示に用いられる。図１（ｂ）に示す拡大ボタン７６は、撮影モードのライブビュー表示において拡大モードのオン／オフ、及び、拡大モード中の拡大率の変更を行うための操作部材である。また、この拡大ボタン７６は、再生モードにおいては、再生画像を拡大し、拡大率を増加させるための操作部材として機能する。図１（ｂ）に示す縮小ボタン７７は、拡大された再生画像の拡大率を低減させ、表示された画像を縮小させるための操作部材である。図１（ｂ）に示す再生ボタン７８は、撮影モードと再生モードとを切り替える操作部材である。撮影モード中にこの再生ボタン７８を押下することで再生モードに移行し、記録媒体（図２に示す記録媒体２００）に記録された画像のうち最新の画像を表示部２８に表示させることができる。
【００１５】
図１（ａ）に示すクイックリターンミラー１２は、システム制御部（図２に示すシステム制御部５０）から指示されて、不図示のアクチュエータによりアップダウンされる。図１（ａ）に示す通信端子１０は、デジタルカメラ１００がレンズ側（着脱可能）と通信を行うための通信端子である。図１（ｂ）に示す接眼ファインダー１６は、フォーカシングスクリーン（図２に示すフォーカシングスクリーン１３）を観察することで、レンズユニット（図２に示すレンズユニット１５０）を通して得た被写体の光学像の焦点や構図の確認を行うための覗き込み型のファインダーである。図１（ｂ）に示す蓋２０２は、記録媒体（図２に示す記録媒体２００）を格納したスロットの蓋である。
【００１６】
図２は、本発明の実施形態に係るデジタルカメラ（撮像装置）１００の概略構成の一例を示す図である。この図２において、図１に示す構成と同様の構成については同じ符号を付している。
【００１７】
図２において、レンズユニット１５０は、交換可能な撮影レンズを搭載するレンズユニットである。このレンズユニット１５０のレンズ２０は、通常、複数枚のレンズから構成されるが、図２では簡略して一枚のレンズのみで示している。レンズユニット１５０の通信端子６は、レンズユニット１５０がデジタルカメラ１００側と通信を行うための通信端子である。また、通信端子１０は、デジタルカメラ１００がレンズユニット１５０側と通信を行うための通信端子である。レンズユニット１５０は、この通信端子６及び１０を介して、システム制御部５０と通信し、内部のレンズシステム制御回路４によって、絞り駆動回路２を介して絞り１の制御を行い、ＡＦ駆動回路３を介してレンズ２０の位置を変位させることで焦点を合わせる。
【００１８】
ＡＥセンサー１７は、レンズユニット１５０を通した被写体の輝度を測光する。焦点検出部１１は、システム制御部５０にデフォーカス量情報を出力する。そして、システム制御部５０は、このデフォーカス量情報に基づいてレンズユニット１５０を制御し、位相差ＡＦを行う。
【００１９】
クイックリターンミラー１２は、露光、ライブビュー撮影、動画撮影の際にシステム制御部５０から指示されて、不図示のアクチュエータによりアップダウンされる。クイックリターンミラー１２は、レンズ２０から入射した光束を接眼ファインダー１６側と撮像部２２側とに切替えるためのミラーである。このクイックリターンミラー１２は、通常時には接眼ファインダー１６へと光束を導くように配置されているが、撮影が行われる場合やライブビュー表示の場合には、撮像部２２へと光束を導くように上方に跳ね上がり光束中から待避する（ミラーアップ）。また、クイックリターンミラー１２は、その中央部が光の一部を透過できるようにハーフミラーとなっており、光束の一部を、焦点検出を行うための焦点検出部１１に入射するように透過させる。
【００２０】
ユーザーは、ペンタプリズム１４と接眼ファインダー１６を介して、フォーカシングスクリーン１３を観察することで、レンズユニット１５０を通して得た被写体の光学像の焦点や構図の確認が可能となっている。
【００２１】
シャッター２１は、システム制御部５０によって、撮像部２２の露光時間を自由に制御できるフォーカルプレーンシャッターである。撮像部２２は、被写体の撮像を行うものであり、被写体の光学像を撮像信号（電気信号）に変換するＣＣＤやＣＭＯＳ素子等で構成される撮像素子である。Ａ／Ｄ変換器２３は、アナログの撮像信号をデジタルの撮像信号に変換して、これを被写体の画像データとして出力する。Ａ／Ｄ変換器２３からの画像データは、画像処理部２４及びメモリ制御部１５を介して、或いは、メモリ制御部１５を介してメモリ３２に直接書き込まれる。
【００２２】
画像処理部２４は、Ａ／Ｄ変換器２３からの画像データやメモリ制御部１５からの画像データに対して、所定の画素補間や縮小といったリサイズ処理や色変換処理等の画像処理を行う。また、画像処理部２４では、撮像により得られた画像データを用いて所定の演算処理を行い、システム制御部５０は、この演算結果に基づいて露光制御や測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４は、更に、撮像により得られた画像データを用いて所定の演算処理を行い、得られた演算結果に基づいてＴＴＬ方式のＡＷＢ（オートホワイトバランス）処理も行っている。
【００２３】
メモリ３２は、撮像部２２によって得られ、Ａ／Ｄ変換器２３によりデジタルデータに変換された画像データや、表示部２８に表示するための画像データを格納する。また、メモリ３２は、所定枚数の静止画像データや所定時間の動画像データ及び音データを格納するのに十分な記憶容量を備えている。また、メモリ３２は、画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データは、Ｄ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されてメモリ３２に蓄積されたデジタル信号をＤ／Ａ変換器１９においてアナログ変換し、表示部２８に逐次転送して表示することで、電子ビューファインダとして機能し、ライブビュー表示（スルー画像表示）を行える。
【００２４】
ファインダー内液晶表示部４１には、ファインダー内・外表示部駆動回路４２を介して、現在オートフォーカスが行われている測距点を示す枠（ＡＦ枠）や、デジタルカメラ１００の設定状態を表すアイコン等が表示される。また、図１（ａ）に示すファインダー外液晶表示部４３には、ファインダー内・外表示部駆動回路４２を介して、シャッター速度や絞りをはじめとするカメラの様々な設定値が表示される。
【００２５】
不揮発性メモリ５６は、電気的に消去・記録可能なメモリであり、例えばＥＥＰＲＯＭ等が用いられる。この不揮発性メモリ５６には、システム制御部５０の動作用の定数や、プログラム等が記憶される。この不揮発性メモリ５６に記憶されているプログラムは、システム制御部５０が当該プログラムを実行することにより、後述する図４〜図６の各フローチャートの処理を実現させるためのプログラムのことである。
【００２６】
システム制御部５０は、少なくとも１つのプロセッサーを有する制御部であり、デジタルカメラ１００全体を制御する。このシステム制御部５０は、上述したように、不揮発性メモリ５６に記憶されたプログラムを実行することにより、後述する図４〜図６の各フローチャートの処理を実現する。また、システム制御部は、メモリ３２、Ｄ／Ａ変換器１９、表示部２８等を制御することにより表示制御も行う。
【００２７】
システムメモリ５２は、例えばＲＡＭが用いられ、システム制御部５０の動作用の定数、変数、不揮発性メモリ５６から読み出したプログラム等を展開する。システムタイマー５３は、各種制御に用いる時間や、内蔵された時計の時間を計測する計時部である。
【００２８】
図２において、電源スイッチ６０、シャッターボタン６１における第１シャッタースイッチ６２及び第２シャッタースイッチ６３、モード切替スイッチ６４、並びに、操作部７０は、システム制御部５０に対して各種の動作指示を入力するための操作部材である。
【００２９】
モード切替スイッチ６４は、例えば、システム制御部５０の動作モードを、静止画記録モード、動画撮影モード、再生モード等のいずれかのモードに切り替える。ここで、静止画記録モードに含まれるモードとしては、例えば、オート撮影モード、オートシーン判別モード、マニュアルモード、絞り優先モード（Ａｖモード）、シャッター速度優先モード（Ｔｖモード）が挙げられる。また、撮影シーン別の撮影設定となる各種シーンモード、プログラムＡＥモード、カスタムモード等もある。本実施形態においては、モード切替スイッチ６４を直接切り替えることによりこれらのモードのいずれかを選択する態様、或いは、モード切替スイッチ６４で撮影モードの一覧画面に一旦切り替えた後に、他の操作部材を用いて表示された複数のモードのいずれかを選択する態様を適用できる。同様に、動画撮影モードにも、複数のモードが含まれていてもよい。
【００３０】
第１シャッタースイッチ６２は、デジタルカメラ１００に設けられたシャッターボタン６１の操作途中、いわゆる半押し（撮影準備指示）でオンとなり、第１シャッタースイッチ信号ＳＷ１を発生する。システム制御部５０は、この第１シャッタースイッチ信号ＳＷ１の入力により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３１】
第２シャッタースイッチ６３は、シャッターボタン６１の操作完了、いわゆる全押し（撮影指示）でオンとなり、第２シャッタースイッチ信号ＳＷ２を発生する。システム制御部５０は、第２シャッタースイッチ信号ＳＷ２の入力により、撮像部２２からの信号読み出しから記録媒体２００に画像データを書き込むまでの一連の撮影処理の動作を開始する。
【００３２】
操作部７０は、ユーザーからの操作を受け付ける各種の操作部材であり、図１に示すメイン電子ダイヤル７１、サブ電子ダイヤル７２、十字キー７３、ＳＥＴボタン７４、ＬＶボタン７５、拡大ボタン７６、縮小ボタン７７、再生ボタン７８を含むものである。また、操作部７０は、表示部２８に表示される種々の機能アイコンを選択操作すること等により、場面ごとに適宜機能が割り当てられ、各種の機能ボタンとしても作用する。この機能ボタンとしては、例えば、終了ボタン、戻るボタン、画像送りボタン、ジャンプボタン、絞込みボタン、属性変更ボタン等が挙げられる。例えば、メニューボタンが押されると、各種の設定可能なメニュー画面が表示部２８に表示される。ユーザーは、表示部２８に表示されたメニュー画面と、上下左右の４方向キーである十字キー７３やＳＥＴボタン７４を用いて、直感的に各種設定を行うことができる。
【００３３】
電源制御部８０は、電池検出回路、ＤＣ−ＤＣコンバータ、通電するブロックを切り替えるスイッチ回路等により構成され、電源部３０における電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００３４】
記録媒体Ｉ／Ｆ１８は、メモリカードやハードディスク等の記録媒体２００とのインターフェースである。記録媒体２００は、撮影により得られた画像データ（必要に応じて、その際に得られた音データも含む）を記録するためのメモリカード等の記録媒体であり、半導体メモリや磁気ディスク等から構成される。記録媒体２００がデジタルカメラ１００に装着されることにより、記録媒体Ｉ／Ｆ１８を介して記録媒体２００に対する記録／読み出しが行えるようになる。
【００３５】
姿勢検知部５５は、重力方向に対するデジタルカメラ１００の姿勢を検知する。この姿勢検知部５５としては、加速度センサーやジャイロセンサー等を用いることができる。システム制御部５０は、この姿勢検知部５５で検知された姿勢に基づいて、撮像部２２で撮影された画像が、デジタルカメラ１００を横に構えて撮影された画像であるか、或いは、縦に構えて撮影された画像であるのかを判別可能である。また、システム制御部５０は、姿勢検知部５５で検知された姿勢に応じた向き情報を撮像部２２で得られた画像データ（画像ファイル）に付加することや、画像を回転して記録することが可能である。
【００３６】
通信部５４は、無線接続または有線ケーブルを用いた優先接続によって外部装置と通信接続し、外部装置との間で画像データや音データ等の送受信を行う接続部である。この通信部５４は、無線ＬＡＮ（Ｌｏｃａｌ  Ａｒｅａ  Ｎｅｔｗｏｒｋ）やインターネットとも通信接続が可能に構成されている。また、通信部５４は、撮像部２２で得られた画像データ（ライブビュー画像データも含む）や、記録媒体２００に記録された画像データを送信可能であり、また、外部装置から画像データやその他の各種の情報を受信することができる。
【００３７】
外部Ｉ／Ｆ（外部インターフェース）５７は、外部装置と有線ケーブルで接続するための接続端子である。例えば、外部Ｉ／Ｆ５７は、ＨＤＭＩ（登録商標）接続端子や、ＳＤＩ接続端子(ＳＤＩ：Ｓｅｒｉａｌ  Ｄｉｇｉｔａｌ  Ｉｎｔｅｒｆａｃｅ）等の映像の入出力端子を含み構成される。通信部５４は、有線ケーブルによって外部装置と通信接続する場合には、この外部Ｉ／Ｆ５７を介してライブビュー画像データを含む画像データ（必要に応じて、音データも含む）や、各種の情報の出力を行うことができる。また、外部Ｉ／Ｆ５７には、接続検知センサーが備えられており、システム制御部５０は、この接続検知センサーの検知に基づいて外部Ｉ／Ｆ５７に接続ケーブルが装着されているか否かを判別することができる。また、システム制御部５０は、外部Ｉ／Ｆ５７を介して通信部５４と外部装置との通信接続が確立されたか否かを判別（コマンドの送受信が行われたか否かを判別）することにより、接続ケーブルを介して外部装置が接続されたか否かを判定することもできる。なお、外部Ｉ／Ｆ５７としてのＨＤＭＩ接続端子から出力されるライブビュー画像データにおける画像サイズは、デジタルカメラ１００で設定されている動画記録サイズの設定に連動して切り替わる。即ち、デジタルカメラ１００の撮影設定として、フルＨＤ（１９２０ピクセル×１０８０ピクセル）の動画像を記録する設定とされていた場合には、撮影待機中（即ち、記録媒体２００への動画像の記録が行われていない状態）であっても、撮像部２２ではフルＨＤ（１９２０ピクセル×１０８０ピクセル）のライブビュー画像が撮像される。そして、この場合、ＨＤＭＩ接続端子からは、フルＨＤ（１９２０ピクセル×１０８０ピクセル）のライブビュー画像データが出力される。また、デジタルカメラ１００の撮影設定として、４Ｋ（２１６０ｐ、即ち、４０９６ピクセル×２１６０ピクセルまたは３８４０ピクセル×２１６０ピクセル）、或いは、それに近いピクセル数の動画像を記録する設定の場合には、撮影待機中であっても、撮像部２２では４Ｋのライブビュー画像が撮像される。そして、この場合、ＨＤＭＩ接続端子からは、４Ｋのライブビュー画像データが出力される。フレームレートも同様に、外部Ｉ／Ｆ５７としてのＨＤＭＩ接続端子から出力されるライブビュー画像データのフレームレートは、デジタルカメラ１００で設定されている動画画像記録のフレームレートに連動して切り替わる。
【００３８】
発音部６５は、デジタルカメラ１００に対する各種の操作に応じて、合焦音やタッチ音等の通知音（電子音）を出力する音出力部に相当するスピーカーである。
【００３９】
集音部６６は、音を集音し、これを音データとしてシステム制御部５０に入力する音入力部である。この集音部６６は、例えば、デジタルカメラ１００が備えるマイクや、デジタルカメラ１００に接続された外部マイク（アクセサリであるマイク）等によって構成することができる。システム制御部５０は、例えば、動画撮影の際には、集音部６６から入力された音データを、動画撮影の際の音声として動画像データに付帯して記録する。また、システム制御部５０は、例えば、ライブビュー撮影の際に外部装置と通信接続している場合には、集音部６６から入力された音データ（環境音）を、ライブビュー画像データとともに外部装置に出力する。これによって、外部装置は、ライブビュー撮影の際の音声付の動画を表示や録画することができる。
【００４０】
図３は、本発明の実施形態に係るデジタルカメラ（撮像装置）１００と外部装置との通信接続形態の一例を示す図である。
【００４１】
図３（ａ）に示すように、デジタルカメラ１００は、例えば、接続ケーブル１０５を介して外部モニタ１０１と通信接続することができる。また、外部モニタ１０１は、例えば、接続ケーブル１０６を介して外部レコーダ１０２と通信接続することができる。この図３（ａ）に示す通信接続形態の場合、デジタルカメラ１００のシステム制御部５０は、撮像部２２で得られた画像データ（ライブビュー画像）とともに集音部６６で得られた音データを、通信部５４、外部Ｉ／Ｆ５７、接続ケーブル１０５を介して、外部モニタ１０１に出力（伝送）する。そして、外部モニタ１０１は、接続ケーブル（伝送路）１０５を介して伝送された画像データに基づく画像及び音データに基づく音声をモニタ等に出力する。また、外部モニタ１０１は、接続ケーブル（伝送路）１０５を介して伝送された画像データ及び音データを、接続ケーブル（伝送路）１０６を介して外部レコーダ１０２に出力（伝送）することも可能である。この場合、外部レコーダ１０２は、外部モニタ１０１から伝送されたライブビュー画像及び音データを、音声付きの動画として当該外部レコーダ１０２の記録媒体に記録する。
【００４２】
なお、デジタルカメラ１００と外部装置との通信接続形態は、図３（ａ）に示す形態に限らず、例えば、図３（ｂ）に示す通信接続形態も適用可能である。即ち、図３（ｂ）に示すように、デジタルカメラ１００と外部レコーダ１０２とが接続ケーブル（伝送路）１０５を介して直接通信接続する形態も、適用可能である。
【００４３】
次に、図２の発音部６５における通知音の出力設定について説明する。
図７は、本発明の実施形態を示し、図２の発音部６５における通知音の出力設定を行うための設定画面７００の一例を示す図である。この設定画面７００は、デジタルカメラ１００の表示部２８に表示される。この図７に示す設定画面７００において、表示領域７１０には、設定画面７００の設定内容を表すタイトルが表示され、具体的に「通知音出力設定」が表示されている。
【００４４】
図７に示す設定画面７００において、アイコン７２０は、通知音出力設定「入」を示すアイコンである。このアイコン７２０が示す通知音出力設定「入」がカーソル７５０で選択された場合には、例えば、システム制御部５０は、デジタルカメラ１００に対する操作に応じた通知音の発音部６５からの出力を有効にする制御を行う。
【００４５】
図７に示す設定画面７００において、アイコン７３０は、通知音出力設定「外部非出力時に入」を示すアイコンである。このアイコン７３０が示す通知音出力設定「外部非出力時に入」がカーソル７５０で選択された場合には、例えば、システム制御部５０は、デジタルカメラ１００が図３（ａ）に示す接続ケーブル１０５を通して外部モニタ１０１と通信接続されている場合に通知音の発音部６５からの出力を無効にし、デジタルカメラ１００が図３（ａ）に示す接続ケーブル１０５を通して外部モニタ１０１と通信接続されていない場合に通知音の発音部６５からの出力を有効にする制御を行う。
【００４６】
図７に示す設定画面７００において、アイコン７４０は、通知音出力設定「切」を示すアイコンである。このアイコン７４０が示す通知音出力設定「切」がカーソル７５０で選択された場合には、例えば、システム制御部５０は、デジタルカメラ１００に対する操作に応じた通知音の発音部６５からの出力を無効にする制御を行う。
【００４７】
図７に示す設定画面７００において、カーソル７５０は、通知音出力設定に係る各種のアイコン７２０，７３０及び７４０うちののいずれかのアイコンを選択するためのものである。
【００４８】
次に、図４〜図６を用いて、本実施形態に係るデジタルカメラ１００の制御方法における処理手順の一例について説明する。
【００４９】
図４は、本発明の実施形態に係るデジタルカメラ（撮像装置）１００のライブビュー撮影時の制御方法における処理手順の一例を示すフローチャートである。この図４に示すフローチャートの処理は、ライブビュー撮影が設定された場合に開始される。また、この図４に示すフローチャートの処理は、システム制御部５０が不揮発性メモリ５６に記憶されたプログラムをシステムメモリ５２に展開して実行することにより実現される。また、この図４に示すフローチャートの処理を開始する際には、図７に示す設定画面７００において、アイコン７３０が示す通知音出力設定「外部非出力時に入」がカーソル７５０で選択されているものとする。
【００５０】
まず、図４のＳ４０１において、システム制御部５０は、ライブビュー（ＬＶ）撮影を開始する。これにより、システム制御部５０は、撮像部２２からライブビュー撮影に基づくライブビュー画像データを取得する。
【００５１】
このＳ４０１と同時に、Ｓ４０２において、システム制御部５０は、当該ライブビュー撮影の際に集音部６６で得られた音データを取得する。
【００５２】
続いて、Ｓ４０３において、システム制御部５０は、通信部５４によってデジタルカメラ１００が外部装置（図３（ａ）に示す例では、接続ケーブル１０５を介した外部モニタ１０１）と通信接続されているか否かを検知により判断する。
【００５３】
Ｓ４０３の判断の結果、デジタルカメラ１００が外部装置である外部モニタ１０１と通信接続されている場合には（Ｓ４０３／Ｙ）、Ｓ４０４に進む。
Ｓ４０４に進むと、システム制御部５０は、通信部５４（本例では、更に外部Ｉ／Ｆ５７）を介して、Ｓ４０１で取得したライブビュー画像データとＳ４０２で取得した音データを、外部装置である外部モニタ１０１に出力する。
【００５４】
Ｓ４０４の処理が終了した場合、或いは、Ｓ４０３においてデジタルカメラ１００が外部装置である外部モニタ１０１と通信接続されていないと判断された場合には（Ｓ４０３／Ｎ）、Ｓ４０５に進む。
Ｓ４０５に進むと、システム制御部５０は、第１シャッタースイッチ（ＳＷ１）６２がオンとなったか否かを検知により判断する。この判断の結果、第１シャッタースイッチ（ＳＷ１）６２がオンとなっていない場合には（Ｓ４０５／Ｎ）、第１シャッタースイッチ（ＳＷ１）６２がオンとなるまでＳ４０５で待機する。
【００５５】
一方、Ｓ４０５の判断の結果、第１シャッタースイッチ（ＳＷ１）６２がオンとなった場合には（Ｓ４０５／Ｙ）、Ｓ４０６に進む。
Ｓ４０６に進むと、システム制御部５０は、当該ライブビュー撮影に係る測距処理（ＡＦ）を行う。
【００５６】
続いて、Ｓ４０７において、システム制御部５０は、Ｓ４０６で行った測距処理の結果を取得する。
【００５７】
続いて、Ｓ４０８において、システム制御部５０は、Ｓ４０７で取得した測距処理の結果が合焦であるか否かを検知により判断する。
【００５８】
Ｓ４０８の判断の結果、Ｓ４０７で取得した測距処理の結果が合焦である場合には（Ｓ４０８／Ｙ）、Ｓ４０９に進む。
Ｓ４０９に進むと、システム制御部５０は、発音部６５から通知音を出力するか否かを判定する音出力判定処理を行う。このＳ４０９における音出力判定処理の詳細な処理については、図５を用いて後述する。
【００５９】
続いて、Ｓ４１０において、システム制御部５０は、Ｓ４０９における音出力判定処理の結果、通知音の出力がＯＫであるか否かを判断する。
【００６０】
Ｓ４１０の判断の結果、通知音の出力がＯＫである場合には（Ｓ４１０／Ｙ）、Ｓ４１１に進む。
Ｓ４１１に進むと、システム制御部５０は、発音部６５から通知音である合焦音を出力する制御を行う。
【００６１】
Ｓ４１１の処理が終了した場合、Ｓ４０８において測距処理の結果が合焦でないと判断された場合には（Ｓ４０８／Ｎ）、或いは、Ｓ４１０において通知音の出力がＯＫでない（即ち、通知音の出力がＮＧである）と判断された場合には（Ｓ４１０／Ｎ）、図４に示すフローチャートの処理を終了する。ここで、Ｓ４１０において通知音の出力がＮＧであると判断された場合には（Ｓ４１０／Ｎ）、システム制御部５０は、発音部６５から通知音である合焦音を出力しないように発音部６５を制御する。
【００６２】
なお、図４に示す例では、Ｓ４０９における音出力判定処理を、Ｓ４１１における合焦音の出力直前に行っているが、この形態に限らず、例えば、Ｓ４０１やＳ４０３の実行時に行う形態であってもよい。この場合、例えば、当該音出力判定処理の結果をシステムメモリ５２等に一旦保持しておき、この保持していた結果を使ってＳ４１０の判断を行う形態をとり得る。また、当該音出力判定処理において音出力ＮＧの判定結果を取得したタイミングで、図７の設定画面７００における設定によって通知音を無効にする方法や、同様のタイミングで図７の設定画面７００における通知音設定を強制的に「切」にする方法も考えられる。
【００６３】
図５は、図４のＳ４０９における音出力判定処理の詳細な処理手順の一例を示すフローチャートである。
【００６４】
まず、図５のＳ５０１において、システム制御部５０は、通信部５４によってデジタルカメラ１００が外部装置である外部モニタ１０１と通信接続されているか否かを検知により判断する。
【００６５】
Ｓ５０１の判断の結果、デジタルカメラ１００が外部装置である外部モニタ１０１と通信接続されている場合には（Ｓ５０１／Ｙ）、Ｓ５０２に進む。
Ｓ５０２に進むと、システム制御部５０は、通信部５４（本例では、更に外部Ｉ／Ｆ５７）を介して、ライブビュー画像データ及びその音データを、外部装置である外部モニタ１０１に出力しているＬＶデータ出力状態であるか否かを判断する。
【００６６】
Ｓ５０２の判断の結果、ＬＶデータ出力状態である場合には（Ｓ５０２／Ｙ）、Ｓ５０３に進む。
Ｓ５０３に進むと、システム制御部５０は、ライブビュー画像データにデジタルカメラ１００に関する情報が重畳表示されているか否かを判断する。デジタルカメラ１００では、撮影待機中または撮影中の表示設定として、ライブビュー画像に撮影モードや各種撮影設定、電池残量などの情報表示を重畳するか否かを設定することができる。表示設定として情報表示を重畳する設定となっていた場合はＳ５０４に進み、そうでない場合にはＳ５０５に進む。
【００６７】
Ｓ５０３においてライブビュー画像データにデジタルカメラ１００に関する情報が重畳表示されていると判断された場合（Ｓ５０３／Ｙ）、Ｓ５０２においてＬＶデータ出力状態でないと判断された場合（Ｓ５０２／Ｎ）、或いは、Ｓ５０１においてデジタルカメラ１００が外部装置である外部モニタ１０１と通信接続されていないと判断された場合には（Ｓ５０１／Ｎ）、Ｓ５０４に進む。
Ｓ５０４に進むと、システム制御部５０は、発音部６５からの通知音の出力を有効とするべく音出力ＯＫの判定を行う。Ｓ５０４の処理が終了すると、図５のフローチャートの処理が終了し、その結果、図４のＳ４０９の処理が終了する。
【００６８】
Ｓ５０５に進むと、システム制御部５０は、発音部６５からの通知音の出力を無効とするべく音出力ＮＧの判定を行う。Ｓ５０５の処理が終了すると、図５のフローチャートの処理が終了し、その結果、図４のＳ４０９の処理が終了する。
【００６９】
ここで、図５のＳ５０３における判断の結果によって、音出力ＯＫまたは音出力ＮＧの判定とした理由について説明する。
この際、本実施形態では、ライブビュー画像データに重畳表示されているか否かの判断対象のデジタルカメラ１００に関する情報としては、例えば、撮影モードの情報や各種の撮影設定の情報、電池残量の情報などが挙げられる。このようなデジタルカメラ１００に関する情報が重畳表示されたライブビュー画像データが外部モニタ１０１に出力されている場合には、出力されたライブビュー画像は、デジタルカメラ１００の各種設定や撮影状況を確認するためにモニタされている可能性が高い。また、デジタルカメラ１００に関する情報が重畳表示されているため、出力先でライブビュー画像だけを記録することができない。従ってこの状況では、このライブビュー画像が外部レコーダ１０２において動画像として記録されている可能性が低い。したがって、この場合には、発音部６５から通知音を出力しても問題が無いと考えられるため、本実施形態では図５のＳ５０４において音出力ＯＫの判定を行うようにしている。一方、このようなデジタルカメラ１００に関する情報が重畳表示されていないライブビュー画像データが外部モニタ１０１に出力されている場合には、このライブビュー画像データが外部レコーダ１０２において動画像として記録されている可能性がある（可能性が高い）。したがって、この場合には、発音部６５から通知音を出力してしまうと、外部レコーダ１０２で記録される動画像データとともに当該通知音に係る音データが記録されてしまい、被写体の自然な音声が記録された動画像とはならない。そのため、本実施形態では、この場合には、図５のＳ５０５において音出力ＮＧの判定を行うようにしている。
【００７０】
なお、ここで説明した例は、Ｓ５０２及びＳ５０３において、外部レコーダ１０２による録画が想定される状態であるか否かの判断の一例を説明したものである。本実施形態で想定している、外部レコーダ１０２による録画が想定される状態としては、デジタルカメラ１００の設定値や、シャッタースピード、絞り値、ＩＳＯ値等の露出制御値といった、デジタルカメラ１００の撮影に関する情報表示がなされていないライブビュー画像データが、接続ケーブル１０５を通して外部装置に出力されている状態である。なお、外部レコーダ１０２による録画が想定される状態は、上述した以外にも種々の状態が考えられるが、本発明においては、その種類に限定されることなく適用可能である。
【００７１】
図６は、本発明の実施形態に係るデジタルカメラ（撮像装置）１００の画像再生時の制御方法における処理手順の一例を示すフローチャートである。この図６に示すフローチャートの処理は、システム制御部５０が不揮発性メモリ５６に記憶されたプログラムをシステムメモリ５２に展開して実行することにより実現される。なお、この図６において、図４に示す処理ステップと同様の処理ステップには、同じステップ番号を付している。
【００７２】
まず、図６のＳ６０１において、システム制御部５０は、操作部７０に含まれる再生ボタン７８が押されたか否かを検知により判断する。この判断の結果、再生ボタン７８が押されていない場合には（Ｓ６０１／Ｎ）、再生ボタン７８が押されるまでＳ６０１で待機する。
【００７３】
一方、Ｓ６０１の判断の結果、再生ボタン７８が押された場合には（Ｓ６０１／Ｙ）、Ｓ６０２に進む。
Ｓ６０２に進むと、システム制御部５０は、表示部２８の表示を再生画面に遷移する処理を行う。
【００７４】
続いて、Ｓ６０３において、システム制御部５０は、再度、再生ボタン７８が押されたか否かを検知により判断する。
【００７５】
Ｓ６０３の判断の結果、再生ボタン７８が押されていない場合には（Ｓ６０３／Ｎ）、Ｓ６０４に進む。
Ｓ６０４に進むと、システム制御部５０は、表示部２８に表示の再生画面に対して操作部７０を介したタッチ操作が行われたか否かを検知により判断する。
【００７６】
Ｓ６０４の判断の結果、表示部２８に表示の再生画面に対して操作部７０を介したタッチ操作が行われた場合には、Ｓ４０９に進む。
Ｓ４０９に進むと、システム制御部５０は、図５の各ステップの処理を行う。この図６に示す場合には、上述したライブビュー画像データでは無く、再生指示がなされた再生画像データが外部装置である外部モニタ１０１に出力されるため、図５のＳ５０２で否定判断（Ｓ５０２／Ｎ）されることになる。このため、図５のＳ５０４において音出力ＯＫと判定されることになる。
【００７７】
続いて、Ｓ６０５において、システム制御部５０は、Ｓ４０９における音出力判定処理の結果、通知音の出力がＯＫであるか否かを判断する。
【００７８】
Ｓ６０５の判断の結果、通知音の出力がＯＫである場合には（Ｓ６０５／Ｙ）、Ｓ６０６に進む。
Ｓ６０６に進むと、システム制御部５０は、発音部６５から通知音であるタッチ音を出力する制御を行う。
【００７９】
Ｓ６０６の処理が終了した場合、Ｓ６０５において通知音の出力がＯＫでないと判断された場合（Ｓ６０５／Ｎ）、或いは、Ｓ６０４において再生画面に対してタッチ操作が行われていないと判断された場合（Ｓ６０４／Ｎ）には、Ｓ６０３に戻る。
【００８０】
また、Ｓ６０３の判断の結果、再生ボタン７８が押されている場合には（Ｓ６０３／Ｙ）、Ｓ６０７に進む。
Ｓ６０７に進むと、システム制御部５０は、表示部２８に表示の再生画面を抜けて、図６に示すフローチャートの処理を終了する。
【００８１】
以上説明した本発明の実施形態に係るデジタルカメラ１００では、システム制御部５０は、ライブビュー撮影の際に、撮像部２２で得られたライブビュー画像データと集音部６６で得られた音データとを、通信部５４（本例では、更に外部Ｉ／Ｆ５７）を介して、通信接続している外部モニタ１０１に出力している場合に（図４のＳ４０４）、発音部６５から通知音が出力されないように制御するようにしている（図５のＳ５０５及び図４のＳ４１０）。なお、通知音が出力されないように制御する（制限する）方法としては、発音部６５を制御する以外に、発音部６５への電源供給を止める、発音部６５への音声入力を止める、通知音の音声データの読み出しを止めるなどの方法であってもよい。
かかる構成によれば、例えば外部レコーダ１０２に記録されるライブビュー撮影に係る記録データに、デジタルカメラ１００に対してなされた操作に応じた通知音が混入して記録されてしまうという不具合を回避することができる。これにより、外部装置側において、環境音（被写体の発する音のみ）が付帯された適切な音声付動画を取得することが可能となる。なお、上述の制御は、デジタルカメラ１００側での動画の記録状態（記録媒体２００またはデジタルカメラ１００に内蔵された記録媒体への動画の記録状態）であるか記録待機状態であるかに関わらず行われる。すなわち、デジタルカメラ１００側で動画記録を行っていない待機状態であっても、音声とともにライブビュー画像を外部機器に出力しており、上述の処理で通知音の出力がＮＧであると判断される条件を満たしていれば、通知音が出力されないように制御する。
【００８２】
また、本発明の実施形態に係るデジタルカメラ１００では、システム制御部５０は、再生指示がなされた再生画像データを、通信部５４（本例では、更に外部Ｉ／Ｆ５７）を介して、通信接続している外部モニタ１０１に出力している場合には、発音部６５から通知音を出力しない制御を行わない（即ち、発音部６５から通知音を出力する制御を行う）ようにしている（図５のＳ５０２及びＳ５０４、並びに、図６のＳ６０５及びＳ６０６）。
かかる構成によれば、再生画面データが外部モニタ１０１に出力されている場合には、この再生画面データが外部レコーダ１０２に記録されることは想定されていないと考えられるため、操作に応じた通知音を知らせる方が好適である。
【００８３】
なお、本実施形態においては、システム制御部５０は、発音部６５から通知音の出力の可否を、図７に示す設定画面７００に入力された情報に基づき設定することもできる。また、本実施形態においては、システム制御部５０は、発音部６５から通知音が出力されないように発音部６５を制御する際に（図５のＳ５０５及び図４のＳ４１０）、外部装置である外部レコーダ１０２が録画状態であるか否かに関わらず、行うことができる。
【００８４】
なお、システム制御部５０が行うものとして説明した図４〜図６の各種制御は、１つのハードウェアが行っても良いし、複数のハードウェアが処理を分担することで、装置全体の制御を行ってもよい。
【００８５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
また、上述した実施形態においては、本発明をデジタルカメラに適用した場合を例にして説明したが、これはこの例に限定されず、音声付きのライブビュー画像を出力可能な撮像装置であれば適用可能である。すなわち、本発明は、カメラ付きのパーソナルコンピュータやＰＤＡ、カメラ付きの携帯電話端末（スマートフォン含む）、音楽プレーヤー、ゲーム機、電子ブックリーダー、タブレット端末、投影装置、車載装置などに適用可能である。
【００８６】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【００８７】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【符号の説明】
【００８８】
２２：撮像部、５０：システム制御部、６５：発音部、６６：集音部、７０：操作部、１００：デジタルカメラ（撮像装置）、１５０：レンズユニット、２００：記録媒体
【図１】
2019016914.tif 000003
【図２】
2019016914.tif 000004
【図３】
2019016914.tif 000005
【図４】
2019016914.tif 000006
【図５】
2019016914.tif 000007
【図６】
2019016914.tif 000008
【図７】
2019016914.tif 000009